(57)【要約】【課題】芯体を中空の外殻と、外殻内に充填された充填物とから形成し、外殻を、発泡スチロール製の一対の半割外殻部の合せ面に接着層が介在された状態で横長の俵形状に形成することにより、量産性に優れ、かつ、適度な重量の飾り用俵にする。【解決手段】横長の俵形状の芯体２と、芯体２の表面を被覆する表面飾りと、表面飾りを芯体２に取付ける飾り紐とを備えている飾り用俵において、芯体２は、中空の外殻５と、外殻５内に充填された充填物６とから形成されており、外殻５は、発泡スチロール製の一対の半割外殻部５ａにより形成されているとともに、一対の半割外殻部５ａの合せ面５１に接着層５２が介在された状態で、一体化されている。【選択図】図２
2017221590.tif 000002
【特許請求の範囲】
【請求項１】
横長の俵形状の芯体と、前記芯体の表面を被覆する表面飾りと、前記表面飾りを前記芯体に取付ける飾り紐とを備えている飾り用俵において、  
前記芯体は、中空の外殻と、前記外殻内に充填された充填物とから形成されており、
前記外殻は、発泡スチロール製の一対の半割外殻部により形成されているとともに、前記一対の半割外殻部の合せ面に接着層が介在された状態で、一体化されていることを特徴とする飾り用俵。
【請求項２】
前記外殻は、表面円周に複数の環状溝が形成されており、
前記飾り紐は、前記表面飾りが前記外殻を被覆した状態で前記環状溝に沿って締付けられていることを特徴とする請求項１に記載の飾り用俵
【請求項３】
前記一対の半割外殻部における各半割外殻部の合せ面は、厚み方向の内側部分において凸状部分と、凹状部分とが形成されており、
前記一対の半割外殻部における一方の半割外殻部の合せ面の凸状部分と凹状部分とが、他方の半割外殻部の合せ面の凹状部分と凸状部分とに接着層を介在させた状態で合致されていることを特徴とする請求項１又は２に記載の飾り用俵。
【請求項４】
前記充填物は、柔軟性の袋に収納された籾殻又はおが屑であることを特徴とする請求項１〜３のいずれかに記載の飾り用俵。
【請求項５】
前記表面飾りは、い草又は金糸が前記芯体の表面に被覆されていることを特徴とする請求項１〜４のいずれかに記載の飾り用俵。
【発明の詳細な説明】
【技術分野】
【０００１】
本発明は、神社の祭礼や祝いごとの贈り物・飾り物としての飾り用俵に関する技術であり、特に、芯体を中空の外殻と、外殻内に充填された充填物とから形成し、外殻を、発泡スチロール製の一対の半割外殻部の合せ面に接着層が介在された状態で横長の俵形状に形成することにより、量産性に優れ、かつ、適度な重量の飾り用俵とした技術である。
【背景技術】
【０００２】
従来、飾り用俵は、小形のものについては、発泡スチロール製の中実の芯体に表面飾りを施して形成している（特許文献１及び２参照）。
また、従来、飾り用俵は、大形のものについては、円筒状の袋に籾殻を詰めて両端を封じて芯体を形成し、芯体にい草や金糸で表面飾りを施して形成している（例えば、特許文献３参照）。
【０００３】
さらに、従来、発泡スチロール製の中空半割体の底部に重鎮を収納して一体化した菰樽用芯体が知られている（特許文献４〜６参照）。
【先行技術文献】
【特許文献】
【０００４】
【特許文献１】実用新案登録第３１７２１４４号公報
【特許文献２】実用新案登録第３０９２４６２号公報
【特許文献３】実願昭６０−１５０３４１（実開昭６２−５９４８７）の全文（従来の技術の欄参照)
【特許文献４】実公昭６３−３３５８４号公報
【特許文献５】実公昭６２−２７１９２号公報
【特許文献６】実願昭５８−１２８２３１（実開昭６０−３６２９９）の全文
【発明の概要】
【発明が解決しようとする課題】
【０００５】
特許文献１及び２に記載の飾り用俵は、小形であるために、発泡スチロール製の中実の芯体の成形において、成形品を金型から取出すまでの冷却にそれほど時間を要しないが、大形の飾り用俵を発泡スチロール製の中実とすると、発泡スチロールは断熱性が良好で、冷却に長時間を要し、生産性が劣るとともに、非常に軽いために飾り用俵としての実感に欠けるという課題があった。
また、特許文献３に記載の円筒状の袋に籾殻を詰めて両端を封じて芯体を形成し、芯体にい草や金糸で表面飾りを施して形成するものは、出来上がった形状がまちまちとなり易く、熟練した職人が作業しなければならず、担い手がいないという課題もあった。
【０００６】
特許文献４〜６に記載の菰樽用芯体は、発泡スチロール製の中空半割体を一体化しているために、成形時の冷却時間は短縮できるが、内部に重鎮を収納して一体化し、飾り物として設置するために、工場で一体化すると運搬に労力を要し、設置場所で一体化するとしても運搬と現地での組み立て作業が煩雑となる課題があった。
本発明は、従来の飾り用俵の課題や菰俵用芯体の課題を解決するために、芯体を中空の外殻と、外殻内に充填された充填物とから形成し、外殻を、発泡スチロール製の一対の半割外殻部の合せ面に接着層が介在された状態で横長の俵形状に形成することにより、量産性に優れ、かつ、適度な重量の飾り用俵を提供することを目的としている。
【課題を解決するための手段】
【０００７】
請求項１に係る本発明の飾り用俵は、横長の俵形状の芯体と、前記芯体の表面を被覆する表面飾りと、前記表面飾りを前記芯体に取付ける飾り紐とを備えている飾り用俵において、  
前記芯体は、中空の外殻と、前記外殻内に充填された充填物とから形成されており、
前記外殻は、発泡スチロール製の一対の半割外殻部により形成されているとともに、前記一対の半割外殻部の合せ面に接着層が介在された状態で、一体化されているものである。
【０００８】
請求項２に係る本発明の飾り用俵は、請求項１に係る本発明の構成に加え、前記外殻は、表面円周に複数の環状溝が形成されており、
前記飾り紐は、前記表面飾りが前記外殻を被覆した状態で前記環状溝に沿って締付けられているものである。
【０００９】
請求項３に係る本発明の飾り用俵は、請求項１又は２に係る本発明の構成に加え、前記一対の半割外殻部における各半割外殻部の合せ面は、厚み方向の内側部分において凸状部分と、凹状部分とが形成されており、
前記一対の半割外殻部における一方の半割外殻部の合せ面の凸状部分と凹状部分とが、他方の半割外殻部の合せ面の凹状部分と凸状部分とに接着層を介在させた状態で合致されているものである。
【００１０】
請求項４に係る本発明の飾り用俵は、請求項１〜３のいずれかに係る本発明の構成に加え、前記充填物は、柔軟性の袋に収納された籾殻又はおが屑であるものである。
【００１１】
請求項５に係る本発明の飾り用俵は、請求項１〜４のいずれかに係る本発明の構成に加え、前記表面飾りは、い草又は金糸が前記芯体の表面に被覆されているものである。
【発明の効果】
【００１２】
請求項１に係る本発明の飾り用俵は、横長の俵形状の芯体と、芯体の表面を被覆する表面飾りと、表面飾りを前記芯体に取付ける飾り紐とを備えている飾り用俵において、芯体は、中空の外殻と、外殻内に充填された充填物とから形成されており、外殻は、発泡スチロール製の一対の半割外殻部により形成されているとともに、一対の半割外殻部の合せ面に接着層が介在された状態で、一体化されているから、芯体における外殻の成形時の冷却を短時間で行え量産性に優れるとともに同一形状の飾り用俵を安価に量産可能であり、かつ、充填物を充填しているので需要者が好む適度な重量の飾り用俵とすることができるのである。
【００１３】
請求項２に係る本発明の飾り用俵は、請求項１に係る本発明の効果に加え、外殻は、表面円周に複数の環状溝が形成されており、飾り紐は、表面飾りが外殻を被覆した状態で環状溝に沿って締付けられているから、表面飾りの芯体への取付が簡単で確実に行えるのである。
【００１４】
請求項３に係る本発明の飾り用俵は、請求項１又は２に係る本発明の効果に加え、一対の半割外殻部における各半割外殻部の合せ面は、厚み方向の内側部分において凸状部分と、凹状部分とが形成されており、一対の半割外殻部における一方の半割外殻部の合せ面の凸状部分と凹状部分とが、他方の半割外殻部の合せ面の凹状部分と凸状部分とに接着層を介在させた状態で合致されているから、一対の半割外殻部の接着一体化を容易でかつ強固に行うことができるのである。
【００１５】
請求項４に係る本発明の飾り用俵は、請求項１〜３のいずれかに係る本発明の効果に加え、充填物は、柔軟性の袋に収納された籾殻又はおが屑であるから、安価な充填物であり、かつ適度な重量とすることができるのである。
【００１６】
請求項５に係る本発明の飾り用俵は、請求項１〜４のいずれかに係る本発明の効果に加え、表面飾りは、い草又は金糸が芯体の表面に被覆されているから、伝統的な飾り用俵とできながら、安価で均質な形状の飾り用俵とすることができるのである。
【図面の簡単な説明】
【００１７】
【図１】本発明の第一の実施の形態に係る飾り用俵の斜視図である。
【図２】本発明の第一の実施の形態に係る飾り用俵における芯体を示す平面図（ａ）と、横断面図（ｂ）とである。
【図３】本発明の第一の実施の形態に係る飾り用俵における充填物を示す斜視図である。
【図４】本発明の第一の実施の形態に係る飾り用俵における半割外殻部の平面図である。
【図５】図４の底面図である。
【図６】図４の右側面図である。
【図７】図４の左側面図である。
【図８】図４の正面図である。
【図９】図４のＡ−Ａ線断面図である。
【図１０】図４のＢ−Ｂ線断面図である。
【図１１】図４のＣ−Ｃ線断面図である。
【図１２】図４のＤ−Ｄ線断面図である。
【図１３】本発明の第二の実施の形態に係る飾り用俵における芯体を示す一部断面平面図である。
【図１４】本発明の第三の実施の形態に係る飾り用俵の斜視図である。
【図１５】本発明の第四の実施の形態に係る飾り用俵における半割外殻部の平面図である。
【図１６】本発明の第五の実施の形態に係る飾り用俵における半割外殻部の平面図である。
【発明を実施するための形態】
【００１８】
以下、本発明の実施の形態を添付した図１〜図１６に基づき詳細に説明する。
図１〜図１２は本発明の飾り用俵の第一の実施の形態に係る図であり、図１は飾り用俵の斜視図、図２（ａ）は芯体の平面図、図２（ｂ）は芯体の横断面図、図３は充填物の斜視図、図４は半割外殻部の平面図、図５は図４の底面図、図６は図４の右側面図、図７は図４の左側面図、図８は図４の正面図、図９は図４のＡ−Ａ線断面図、図１０は図４のＢ−Ｂ線断面図、図１１は図４のＣ−Ｃ線断面図及び図１２は図４のＤ−Ｄ線断面図である。
また、図１３は本発明の第二の実施の形態に係る飾り用俵における芯体の一部断面平面図、図１４は本発明の第三の実施の形態に係る飾り用俵の斜視図、図１５は本発明の第四の実施の形態に係る飾り用俵における半割外殻部の平面図及び図１６は本発明の第五の実施の形態に係る飾り用俵における半割外殻部の平面図である。
【００１９】
図１〜図３において、１は飾り用俵であり、飾り用俵１は、横長の俵形状の芯体２と、芯体２の表面を被覆する表面飾り３と、表面飾り３を芯体２に取付ける飾り紐４とを備えている。
そして、飾り用俵１は神社の祭礼や祝いごとの贈り物・飾り物として用いられるのであり、表面飾り３は、い草３１で形成されるとともに芯体２の表面の全体を被覆しており、芯材に金色テープをらせん状に巻いた飾り紐４により芯体２に取付けられている。
【００２０】
芯体２は、中空の外殻５と、外殻５内に充填された充填物６とから形成されている。
外殻５は、図２、図４〜図１２に示す発泡スチロール製の一対の半割外殻部５ａにより形成されているとともに、一対の半割外殻部５ａの合せ面５１に接着層５２が介在された状態で、一体化されている。
【００２１】
芯体２における外殻５の具体的な形状は、横幅が２００ｍｍ、外径が１４０ｍｍ、厚みが約２０ｍｍの中空で、外殻５の表面円周に３つの環状溝５３が形成されており、左右の一対の環状溝５３ａは溝幅１０ｍｍ、溝深さ４ｍｍ、溝底径１３２ｍｍである。
また、中央の環状溝５３ｂは、左右両側から中心部に向かって球面状の縊れ部５４により、溝底幅５ｍｍ、溝底径１０２ｍｍに形成されている。
【００２２】
中空の外殻５内に充填された充填物６は、図２（ｂ）及び図３に示すように、ポリプロピレンフィルムなどの透明な筒状の柔軟性の袋６１に籾殻６２を充填して両端を縛って形成しており、外殻５の中空形状に合わせて中央に縊れ部６３が形成されている。
発泡スチロール製の一対の半割外殻部５ａは、同一形状であり、各半割外殻部５ａの合せ面５１は、厚み方向の内側部分において面一の外側部分を基準面５１ａとして、凸状部分５５と、凹状部分５６とが形成されている。
【００２３】
そして、一対の半割外殻部５ａにおける一方の半割外殻部５ａの合せ面５１の凸状部分５５は幅が１０ｍｍ、高さが７．５ｍｍで、凹状部分５６は幅が１０ｍｍ、深さが８ｍｍに形成しており、一方の半割外殻部５ａの合せ面５１の凸状部分５５と凹状部分５６とが、他方の半割外殻部５ａの合せ面５１の凹状部分５６と凸状部分５５とに接着層５２を介在させ、かつ充填物６が充填された状態で合致され、一体化されて外殻５及び芯体２が形成されるようにしている。
接着層５２は、酢酸ビニル樹脂系溶剤形の発泡スチロール用接着剤を合せ面５１に塗布することにより形成されるのであり、一方の半割外殻部５ａの合せ面５１の凸状部分５５と凹状部分５６とが、他方の半割外殻部５ａの合せ面５１の凹状部分５６と凸状部分５５とに接着層５２を介在させた状態で合致されることにより、一対の半割外殻部５ａの接着一体化を容易で強固に行うことができるようにしている。
【００２４】
このように、芯体２における外殻５を、発泡スチロール製の一対の半割外殻部５ａにより形成するとともに、一対の半割外殻部５ａの合せ面５１に接着層５２が介在された状態で、一体化することにより、芯体２における外殻５の成形時の冷却を短時間で行え、量産性に優れるとともに同一形状の飾り用俵１を安価に量産可能としている。
なお、図４における中央部の円形部５７は、半割外殻部５ａを成形して冷却後に金型から取外すときの吸着跡であり、また、合せ面５１の中央部には、凸状部分５５及び凹状部分５６が形成されていない（図４、図１０参照）。
【００２５】
また、外殻５と、外殻５内に充填された充填物６とから形成された横長の俵形状の芯体２における外殻５の表面に、い草３１で形成された表面飾り３を被覆して、３つの環状溝５３に沿って飾り紐４により締付けることにより、図１に示す飾り用俵１が作られるのである。
飾り紐４は、い草３１からなる表面飾り３が外殻５に被覆された状態で環状溝５３に沿って締付けるので表面飾り３の芯体２への取付が簡単で確実に行えるのである。
【００２６】
そして、飾り用俵１は、外殻５の質量が３５ｇ、外殻５の密度が０．０２ｇ／ｃｍ３、外殻５の体積が８３２．５ｃｍ３であり、充填物６の質量が１５０ｇ、表面飾り３及び飾り紐４の質量が３５ｇで、飾り用俵１の質量が２２０ｇに形成されている。
発泡スチロール製の外殻５の質量が従来の籾殻を袋に詰めたものよりも同じ容積では小さいために、従来と同様な質量を要求する需要者に対しては、例えば、金属製のナットを籾殻６２に混ぜて充填物６を形成することにより、需要者の好みに合せた飾り用俵１とすることができるのである。
【００２７】
しかも、充填物６の主たる材料である籾殻６２は安価であるから、充填物６を安価に形成することができるのである。
また、表面飾り３をい草で構成しているので、伝統的な飾り用俵１とできながら、外殻５を一対の半割外殻部５ａにより形成しているので、安価で均質な形状の飾り用俵１とすることができるのである。
【００２８】
次に、本発明の第二の実施の形態に係る飾り用俵について、図１３の芯体２ａを示す一部断面平面図に基づいて説明するとともに、図２に示す第一の実施の形態と同様な構成については、同一の符号を付して説明を省略する。
第二の実施の形態は、第一の実施の形態における外殻５の中央外周に形成した縊れ部５４を無くして、両端が球面状で中央部外周に縊れ部のない円筒状の外殻５０としたものであり、一対の半割外殻部５０ａにより外殻５０を形成している。
【００２９】
第二の実施の形態における外殻５０の中央外周に形成した環状溝５３は、第一の実施の形態における縊れ部５４における環状溝５３ｂに替えて、左右の一対の環状溝５３ａと同一形状の環状溝５３ａとしている。
次に、本発明の第三の実施の形態に係る飾り用俵について、図１４に示す斜視図に基づいて説明する。
【００３０】
第三の実施の形態は、第一の実施の形態における表面飾り３を形成するい草３１に替えて金糸３２としたものである。
第一の実施の形態では、い草３１の落ち着いた飾り用俵１を好む需要者に満足してもらい、第三の実施の形態では、金糸３２の煌びやかな飾り用俵１ａを好む需要者に満足してもらえるようにしている。
【００３１】
次に、本発明の第四の実施の形態に係る飾り用俵について、図１５の半割外殻部５ｂに基づいて説明するするとともに、図４に示す第一の実施の形態と同様な構成については、同一の符号を付して説明を省略する。
第四の実施の形態は、第一の実施の形態における飾り用俵１の外形を小さくしたもので小形の飾り用俵の需要に適合するようにしたものである。
【００３２】
具体的には、第四の実施の形態の各半割外殻部５ｂの合せ面５１における幅と高さ（深さ）は、凸状部分５５の幅が１０ｍｍ、高さが７．５ｍｍで、凹状部分５６の幅が１０ｍｍ、深さが８ｍｍに形成しており、第一の実施の形態の半割外殻部５ａの合せ面５１における幅と高さ（深さ）と同様の寸法に形成している。
第四の実施の形態では、外殻（半割外殻部５ｂ）に形成した環状溝５３（５３ａ、５３ｂ）については、飾り紐の外径を第一の実施の形態の飾り紐４の外径よりも細くしているために、左右一対の環状溝５３ａ及び縊れ部に形成した中央の環状溝５３ｂを第一の実施の形態における環状溝５３ａ、５３ｂよりも小さくしている。
【００３３】
また、第四の実施の形態の外殻は、図示していないが、図１５の半割外殻部５ｂ示すように、横幅が１５０ｍｍ、外径が１００ｍｍに形成しており、飾り紐により表面飾りを芯体に取りつけた飾り用俵も第一の実施の形態における飾り用俵よりも小形に形成している。
次に、本発明の第五の実施の形態に係る飾り用俵について、図１６の半割外殻部５ｃに基づいて説明するとともに、図４に示す第一の実施の形態と同様な構成については、同一の符号を付して説明を省略する。
【００３４】
第五の実施の形態は、第一の実施の形態における飾り用俵１の外形を大きくしたもので大形の飾り用俵の需要に適合するようにしたものである。
具体的には、第五の実施の形態の各半割外殻部５ｂの合せ面５１における幅と高さ（深さ）は、凸状部分５５の幅が１０ｍｍ、高さが７．５ｍｍで、凹状部分５６の幅が１０ｍｍ、深さが８ｍｍに形成しており、第一の実施の形態の半割外殻部５ａの合せ面５１における幅と高さ（深さ）と同様の寸法に形成している。
【００３５】
第五の実施の形態では、外殻（半割外殻部５ｃ）に形成した環状溝５３（５３ａ、５３ｂ）については、飾り紐の外径を第一の実施の形態の飾り紐４の外径よりも太くしているために、左右一対の環状溝５３ａ及び縊れ部に形成した中央の環状溝５３ｂを第一の実施の形態における環状溝５３ａ、５３ｂよりも大きくしている。
また、第五の実施の形態の外殻は、図示していないが、図１６の半割外殻部５ｃ示すように、横幅が３００ｍｍ、外径が２００ｍｍに形成しており、飾り紐により表面飾りを芯体に取りつけた飾り用俵も第一の実施の形態における飾り用俵１よりも大形に形成している。
【００３６】
次に、本発明の実施の形態の変形例について説明する。
以上の実施の形態では、外殻の表面円周に３本の環状溝を設けて、表面飾りが外殻（芯体）に被覆された状態で飾り紐により環状溝に沿って締付けるようにしたが、環状溝の本数は複数であればよく、環状溝を省略して表面飾りを飾り紐により外殻（芯体）に締付けるようにしてもよい。
【００３７】
以上の実施の形態では、一対の半割外殻部における一方の半割外殻部の合せ面の凸状部分と凹状部分とが、他方の半割外殻部の合せ面の凹状部分と凸状部分とに接着層を介在させた状態で合致され、一体化されているが、合せ面に形成した凸状部分と凹状部分とを省略し、接着層を介在させた状態で例えば冶具による位置決め手段で一体化させるようにしてもよい。
また、以上の実施の形態では、充填物は籾殻を主体として、需要者が飾り用俵として質量の大きなものを希望するときは、適宜密度の大きいナットなどを混入させるようにしたが、籾殻に替えておが屑でもよく、適宜の密度の安価な合成樹脂片、ガラス片、金属片などでもよい。
【００３８】
以上の実施の形態において、充填物を籾殻又はおが屑のような材料の場合には、取扱い上、柔軟性の袋に入れて一対の半割外殻部に収納することが必要となるが、材料によっては、充填物の外形を外殻の中空形状に合わせることができれば、袋を省略したり、袋に替えて形状保持部材、例えば合成樹脂成形部材に収納することもできる。
以上の実施の形態では、表面飾りをい草又は金糸としたが、他の材料による表面飾りとしてもよい。
【００３９】
また、以上の実施の形態では、具体的な数値をあげて説明したが、これらは、飾り用俵として、要求される仕様などにより、適宜設計すればよいのである。
ただし、第四の実施の形態に示す小形の飾り用俵であれば、芯体を一対の半割外殻部と充填物と接着層で一体化する方が、中実の発泡スチロール製よりも生産性が上がり、飾り用俵として安価でかつ質量を調節できる利点があるが、第四の実施の形態よりもさらに小形になると、一対の半割外殻部の組立てに伴い、価格的に不利となり、本発明の適用が難しくなる。
【符号の説明】
【００４０】
１、１ａ  飾り用俵
２、２ａ  芯体
３  表面飾り
３１  い草
３２  金糸
４  飾り紐
５、５０  外殻
５ａ、５ｂ、５ｃ、５０ａ  半割外殻部
５１  合せ面
５２  接着層
５３、５３ａ、５３ｂ  環状溝
５５  凸状部分
５６  凹状部分
６  充填物
６１  袋
６２  籾殻
【図１】
2017221590.tif 000003
【図２】
2017221590.tif 000004
【図３】
2017221590.tif 000005
【図４】
2017221590.tif 000006
【図５】
2017221590.tif 000007
【図６】
2017221590.tif 000008
【図７】
2017221590.tif 000009
【図８】
2017221590.tif 000010
【図９】
2017221590.tif 000011
【図１０】
2017221590.tif 000012
【図１１】
2017221590.tif 000013
【図１２】
2017221590.tif 000014
【図１３】
2017221590.tif 000015
【図１４】
2017221590.tif 000016
【図１５】
2017221590.tif 000017
【図１６】
2017221590.tif 000018
【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
横長の俵形状の芯体と、前記芯体の表面を被覆する表面飾りと、前記表面飾りを前記芯体に取付ける飾り紐とを備えている飾り用俵において、
前記芯体は、中空の外殻と、前記外殻内に充填された充填物とから形成されており、
前記充填物は、柔軟性の袋に収納された籾殻又はおが屑であり、
前記外殻は、発泡スチロール製の一対の同一形状の半割外殻部により形成されており、
前記一対の同一形状の半割外殻部における各半割外殻部の合せ面は、厚み方向の外側部分と内側部分とから形成されており、前記外側部分を面一の基準面として仮想したときに、前記内側部分において前記基準面に対する凸状部分と、凹状部分とが形成されており、
前記一対の半割外殻部における一方の半割外殻部の合せ面の凸状部分と凹状部分とが、他方の半割外殻部の合せ面の凹状部分と凸状部分とに合致されて、前記一対の半割外殻部の合せ面に接着層が介在された状態で、一体化されていることを特徴とする飾り用俵。
【請求項２】
前記外殻は、表面円周に複数の環状溝が形成されており、
前記飾り紐は、前記表面飾りが前記外殻を被覆した状態で前記環状溝に沿って締付けられていることを特徴とする請求項１に記載の飾り用俵
【請求項３】
前記表面飾りは、い草又は金糸が前記芯体の表面に被覆されていることを特徴とする請求項１又は２に記載の飾り用俵。
【手続補正２】
【補正対象書類名】明細書
【補正対象項目名】全文
【補正方法】変更
【補正の内容】
【発明の詳細な説明】
【技術分野】
【０００１】
本発明は、神社の祭礼や祝いごとの贈り物・飾り物としての飾り用俵に関する技術であり、特に、芯体を中空の外殻と、外殻内に充填された籾殻又はおが屑とから形成し、外殻を、発泡スチロール製の一対の半割外殻部の合せ面に接着層が介在された状態で横長の俵形状に形成することにより、量産性に優れ、かつ、適度な重量の飾り用俵とした技術である。
【背景技術】
【０００２】
従来、飾り用俵は、小形のものについては、発泡スチロール製の中実の芯体に表面飾りを施して形成している（特許文献１及び２参照）。
また、従来、飾り用俵は、大形のものについては、円筒状の袋に籾殻を詰めて両端を封じて芯体を形成し、芯体にい草や金糸で表面飾りを施して形成している（例えば、特許文献３参照）。
【０００３】
さらに、従来、発泡スチロール製の中空半割体の底部に重鎮を収納して一体化した菰樽用芯体が知られている（特許文献４〜６参照）。
【先行技術文献】
【特許文献】
【０００４】
【特許文献１】実用新案登録第３１７２１４４号公報
【特許文献２】実用新案登録第３０９２４６２号公報
【特許文献３】実願昭６０−１５０３４１（実開昭６２−５９４８７）の全文（従来の技術の欄参照)
【特許文献４】実公昭６３−３３５８４号公報
【特許文献５】実公昭６２−２７１９２号公報
【特許文献６】実願昭５８−１２８２３１（実開昭６０−３６２９９）の全文
【発明の概要】
【発明が解決しようとする課題】
【０００５】
特許文献１及び２に記載の飾り用俵は、小形であるために、発泡スチロール製の中実の芯体の成形において、成形品を金型から取出すまでの冷却にそれほど時間を要しないが、大形の飾り用俵を発泡スチロール製の中実とすると、発泡スチロールは断熱性が良好で、冷却に長時間を要し、生産性が劣るとともに、非常に軽いために飾り用俵としての実感に欠けるという課題があった。
また、特許文献３に記載の円筒状の袋に籾殻を詰めて両端を封じて芯体を形成し、芯体にい草や金糸で表面飾りを施して形成するものは、出来上がった形状がまちまちとなり易く、熟練した職人が作業しなければならず、担い手がいないという課題もあった。
【０００６】
特許文献４〜６に記載の菰樽用芯体は、発泡スチロール製の中空半割体を一体化しているために、成形時の冷却時間は短縮できるが、内部に重鎮を収納して一体化し、飾り物として設置するために、工場で一体化すると運搬に労力を要し、設置場所で一体化するとしても運搬と現地での組み立て作業が煩雑となる課題があった。
本発明は、従来の飾り用俵の課題や菰俵用芯体の課題を解決するために、芯体を中空の外殻と、外殻内に充填された籾殻又はおが屑とから形成し、外殻を、発泡スチロール製の一対の半割外殻部の合せ面に接着層が介在された状態で横長の俵形状に形成することにより、量産性に優れ、かつ、適度な重量の飾り用俵を提供することを目的としている。
【課題を解決するための手段】
【０００７】
請求項１に係る本発明の飾り用俵は、横長の俵形状の芯体と、前記芯体の表面を被覆する表面飾りと、前記表面飾りを前記芯体に取付ける飾り紐とを備えている飾り用俵において、
前記芯体は、中空の外殻と、前記外殻内に充填された充填物とから形成されており、
前記充填物は、柔軟性の袋に収納された籾殻又はおが屑であり、
前記外殻は、発泡スチロール製の一対の同一形状の半割外殻部により形成されており、
前記一対の同一形状の半割外殻部における各半割外殻部の合せ面は、厚み方向の外側部分と内側部分とから形成されており、前記外側部分を面一の基準面として仮想したときに、前記内側部分において前記基準面に対する凸状部分と、凹状部分とが形成されており、
前記一対の半割外殻部における一方の半割外殻部の合せ面の凸状部分と凹状部分とが、他方の半割外殻部の合せ面の凹状部分と凸状部分とに合致されて、前記一対の半割外殻部の合せ面に接着層が介在された状態で、一体化されているものである。
【０００８】
請求項２に係る本発明の飾り用俵は、請求項１に係る本発明の構成に加え、前記外殻は、表面円周に複数の環状溝が形成されており、
前記飾り紐は、前記表面飾りが前記外殻を被覆した状態で前記環状溝に沿って締付けられているものである。
【０００９】
請求項３に係る本発明の飾り用俵は、請求項１又は２に係る本発明の構成に加え、前記表面飾りは、い草又は金糸が前記芯体の表面に被覆されているものである。
【発明の効果】
【００１０】
請求項１に係る本発明の飾り用俵は、横長の俵形状の芯体と、芯体の表面を被覆する表面飾りと、表面飾りを前記芯体に取付ける飾り紐とを備えている飾り用俵において、芯体は、中空の外殻と、外殻内に充填された充填物とから形成されており、充填物は、柔軟性の袋に収納された籾殻又はおが屑であり、外殻は、発泡スチロール製の一対の同一形状の半割外殻部により形成されており、一対の同一形状の半割外殻部における各半割外殻部の合せ面は、厚み方向の外側部分と内側部分とから形成されており、外側部分を面一の基準面として仮想したときに、内側部分において基準面に対する凸状部分と、凹状部分とが形成されており、一対の半割外殻部における一方の半割外殻部の合せ面の凸状部分と凹状部分とが、他方の半割外殻部の合せ面の凹状部分と凸状部分とに合致されて、一対の半割外殻部の合せ面に接着層が介在された状態で、一体化されているから、芯体における外殻の成形時の冷却を短時間で行え量産性に優れるとともに同一形状の飾り用俵を安価に量産可能であり、かつ、籾殻又はおが屑を充填しているので、安価な充填物で需要者が好む適度な重量の飾り用俵とすることができるのである。
また、一対の半割外殻部の接着一体化を容易でかつ強固に行うことができるのである。
【００１１】
請求項２に係る本発明の飾り用俵は、請求項１に係る本発明の効果に加え、外殻は、表面円周に複数の環状溝が形成されており、飾り紐は、表面飾りが外殻を被覆した状態で環状溝に沿って締付けられているから、表面飾りの芯体への取付が簡単で確実に行えるのである。
【００１２】
請求項３に係る本発明の飾り用俵は、請求項１又は２に係る本発明の効果に加え、表面飾りは、い草又は金糸が芯体の表面に被覆されているから、伝統的な飾り用俵とできながら、安価で均質な形状の飾り用俵とすることができるのである。
【図面の簡単な説明】
【００１３】
【図１】本発明の第一の実施の形態に係る飾り用俵の斜視図である。
【図２】本発明の第一の実施の形態に係る飾り用俵における芯体を示す平面図（ａ）と、横断面図（ｂ）とである。
【図３】本発明の第一の実施の形態に係る飾り用俵における充填物を示す斜視図である。
【図４】本発明の第一の実施の形態に係る飾り用俵における半割外殻部の平面図である。
【図５】図４の底面図である。
【図６】図４の右側面図である。
【図７】図４の左側面図である。
【図８】図４の正面図である。
【図９】図４のＡ−Ａ線断面図である。
【図１０】図４のＢ−Ｂ線断面図である。
【図１１】図４のＣ−Ｃ線断面図である。
【図１２】図４のＤ−Ｄ線断面図である。
【図１３】本発明の第二の実施の形態に係る飾り用俵における芯体を示す一部断面平面図である。
【図１４】本発明の第三の実施の形態に係る飾り用俵の斜視図である。
【図１５】本発明の第四の実施の形態に係る飾り用俵における半割外殻部の平面図である。
【図１６】本発明の第五の実施の形態に係る飾り用俵における半割外殻部の平面図である。
【発明を実施するための形態】
【００１４】
以下、本発明の実施の形態を添付した図１〜図１６に基づき詳細に説明する。
図１〜図１２は本発明の飾り用俵の第一の実施の形態に係る図であり、図１は飾り用俵の斜視図、図２（ａ）は芯体の平面図、図２（ｂ）は芯体の横断面図、図３は充填物の斜視図、図４は半割外殻部の平面図、図５は図４の底面図、図６は図４の右側面図、図７は図４の左側面図、図８は図４の正面図、図９は図４のＡ−Ａ線断面図、図１０は図４のＢ−Ｂ線断面図、図１１は図４のＣ−Ｃ線断面図及び図１２は図４のＤ−Ｄ線断面図である。
また、図１３は本発明の第二の実施の形態に係る飾り用俵における芯体の一部断面平面図、図１４は本発明の第三の実施の形態に係る飾り用俵の斜視図、図１５は本発明の第四の実施の形態に係る飾り用俵における半割外殻部の平面図及び図１６は本発明の第五の実施の形態に係る飾り用俵における半割外殻部の平面図である。
【００１５】
図１〜図３において、１は飾り用俵であり、飾り用俵１は、横長の俵形状の芯体２と、芯体２の表面を被覆する表面飾り３と、表面飾り３を芯体２に取付ける飾り紐４とを備えている。
そして、飾り用俵１は神社の祭礼や祝いごとの贈り物・飾り物として用いられるのであり、表面飾り３は、い草３１で形成されるとともに芯体２の表面の全体を被覆しており、芯材に金色テープをらせん状に巻いた飾り紐４により芯体２に取付けられている。
【００１６】
芯体２は、中空の外殻５と、外殻５内に充填された充填物６とから形成されている。
外殻５は、図２、図４〜図１２に示す発泡スチロール製の一対の半割外殻部５ａにより形成されているとともに、一対の半割外殻部５ａの合せ面５１に接着層５２が介在された状態で、一体化されている。
【００１７】
芯体２における外殻５の具体的な形状は、横幅が２００ｍｍ、外径が１４０ｍｍ、厚みが約２０ｍｍの中空で、外殻５の表面円周に３つの環状溝５３が形成されており、左右の一対の環状溝５３ａは溝幅１０ｍｍ、溝深さ４ｍｍ、溝底径１３２ｍｍである。
また、中央の環状溝５３ｂは、左右両側から中心部に向かって球面状の縊れ部５４により、溝底幅５ｍｍ、溝底径１０２ｍｍに形成されている。
【００１８】
中空の外殻５内に充填された充填物６は、図２（ｂ）及び図３に示すように、ポリプロピレンフィルムなどの透明な筒状の柔軟性の袋６１に籾殻６２を充填して両端を縛って形成しており、外殻５の中空形状に合わせて中央に縊れ部６３が形成されている。
発泡スチロール製の一対の半割外殻部５ａは、同一形状であり、各半割外殻部５ａの合せ面５１は、厚み方向の内側部分において面一の外側部分を基準面５１ａとして、凸状部分５５と、凹状部分５６とが形成されている。
【００１９】
そして、一対の半割外殻部５ａにおける一方の半割外殻部５ａの合せ面５１の凸状部分５５は幅が１０ｍｍ、高さが７．５ｍｍで、凹状部分５６は幅が１０ｍｍ、深さが８ｍｍに形成しており、一方の半割外殻部５ａの合せ面５１の凸状部分５５と凹状部分５６とが、他方の半割外殻部５ａの合せ面５１の凹状部分５６と凸状部分５５とに接着層５２を介在させ、かつ充填物６が充填された状態で合致され、一体化されて外殻５及び芯体２が形成されるようにしている。
接着層５２は、酢酸ビニル樹脂系溶剤形の発泡スチロール用接着剤を合せ面５１に塗布することにより形成されるのであり、一方の半割外殻部５ａの合せ面５１の凸状部分５５と凹状部分５６とが、他方の半割外殻部５ａの合せ面５１の凹状部分５６と凸状部分５５とに接着層５２を介在させた状態で合致されることにより、一対の半割外殻部５ａの接着一体化を容易で強固に行うことができるようにしている。
【００２０】
このように、芯体２における外殻５を、発泡スチロール製の一対の半割外殻部５ａにより形成するとともに、一対の半割外殻部５ａの合せ面５１に接着層５２が介在された状態で、一体化することにより、芯体２における外殻５の成形時の冷却を短時間で行え、量産性に優れるとともに同一形状の飾り用俵１を安価に量産可能としている。
なお、図４における中央部の円形部５７は、半割外殻部５ａを成形して冷却後に金型から取外すときの吸着跡であり、また、合せ面５１の中央部には、凸状部分５５及び凹状部分５６が形成されていない（図４、図１０参照）。
【００２１】
また、外殻５と、外殻５内に充填された充填物６とから形成された横長の俵形状の芯体２における外殻５の表面に、い草３１で形成された表面飾り３を被覆して、３つの環状溝５３に沿って飾り紐４により締付けることにより、図１に示す飾り用俵１が作られるのである。
飾り紐４は、い草３１からなる表面飾り３が外殻５に被覆された状態で環状溝５３に沿って締付けるので表面飾り３の芯体２への取付が簡単で確実に行えるのである。
【００２２】
そして、飾り用俵１は、外殻５の質量が３５ｇ、外殻５の密度が０．０２ｇ／ｃｍ3、外殻５の体積が８３２．５ｃｍ3であり、充填物６の質量が１５０ｇ、表面飾り３及び飾り紐４の質量が３５ｇで、飾り用俵１の質量が２２０ｇに形成されている。
発泡スチロール製の外殻５の質量が従来の籾殻を袋に詰めたものよりも同じ容積では小さいために、従来と同様な質量を要求する需要者に対しては、例えば、金属製のナットを籾殻６２に混ぜて充填物６を形成することにより、需要者の好みに合せた飾り用俵１とすることができるのである。
【００２３】
しかも、充填物６の主たる材料である籾殻６２は安価であるから、充填物６を安価に形成することができるのである。
また、表面飾り３をい草で構成しているので、伝統的な飾り用俵１とできながら、外殻５を一対の半割外殻部５ａにより形成しているので、安価で均質な形状の飾り用俵１とすることができるのである。
【００２４】
次に、本発明の第二の実施の形態に係る飾り用俵について、図１３の芯体２ａを示す一部断面平面図に基づいて説明するとともに、図２に示す第一の実施の形態と同様な構成については、同一の符号を付して説明を省略する。
第二の実施の形態は、第一の実施の形態における外殻５の中央外周に形成した縊れ部５４を無くして、両端が球面状で中央部外周に縊れ部のない円筒状の外殻５０としたものであり、一対の半割外殻部５０ａにより外殻５０を形成している。
【００２５】
第二の実施の形態における外殻５０の中央外周に形成した環状溝５３は、第一の実施の形態における縊れ部５４における環状溝５３ｂに替えて、左右の一対の環状溝５３ａと同一形状の環状溝５３ａとしている。
次に、本発明の第三の実施の形態に係る飾り用俵について、図１４に示す斜視図に基づいて説明する。
【００２６】
第三の実施の形態は、第一の実施の形態における表面飾り３を形成するい草３１に替えて金糸３２としたものである。
第一の実施の形態では、い草３１の落ち着いた飾り用俵１を好む需要者に満足してもらい、第三の実施の形態では、金糸３２の煌びやかな飾り用俵１ａを好む需要者に満足してもらえるようにしている。
【００２７】
次に、本発明の第四の実施の形態に係る飾り用俵について、図１５の半割外殻部５ｂに基づいて説明するするとともに、図４に示す第一の実施の形態と同様な構成については、同一の符号を付して説明を省略する。
第四の実施の形態は、第一の実施の形態における飾り用俵１の外形を小さくしたもので小形の飾り用俵の需要に適合するようにしたものである。
【００２８】
具体的には、第四の実施の形態の各半割外殻部５ｂの合せ面５１における幅と高さ（深さ）は、凸状部分５５の幅が１０ｍｍ、高さが７．５ｍｍで、凹状部分５６の幅が１０ｍｍ、深さが８ｍｍに形成しており、第一の実施の形態の半割外殻部５ａの合せ面５１における幅と高さ（深さ）と同様の寸法に形成している。
第四の実施の形態では、外殻（半割外殻部５ｂ）に形成した環状溝５３（５３ａ、５３ｂ）については、飾り紐の外径を第一の実施の形態の飾り紐４の外径よりも細くしているために、左右一対の環状溝５３ａ及び縊れ部に形成した中央の環状溝５３ｂを第一の実施の形態における環状溝５３ａ、５３ｂよりも小さくしている。
【００２９】
また、第四の実施の形態の外殻は、図示していないが、図１５の半割外殻部５ｂ示すように、横幅が１５０ｍｍ、外径が１００ｍｍに形成しており、飾り紐により表面飾りを芯体に取りつけた飾り用俵も第一の実施の形態における飾り用俵よりも小形に形成している。
次に、本発明の第五の実施の形態に係る飾り用俵について、図１６の半割外殻部５ｃに基づいて説明するとともに、図４に示す第一の実施の形態と同様な構成については、同一の符号を付して説明を省略する。
【００３０】
第五の実施の形態は、第一の実施の形態における飾り用俵１の外形を大きくしたもので大形の飾り用俵の需要に適合するようにしたものである。
具体的には、第五の実施の形態の各半割外殻部５ｂの合せ面５１における幅と高さ（深さ）は、凸状部分５５の幅が１０ｍｍ、高さが７．５ｍｍで、凹状部分５６の幅が１０ｍｍ、深さが８ｍｍに形成しており、第一の実施の形態の半割外殻部５ａの合せ面５１における幅と高さ（深さ）と同様の寸法に形成している。
【００３１】
第五の実施の形態では、外殻（半割外殻部５ｃ）に形成した環状溝５３（５３ａ、５３ｂ）については、飾り紐の外径を第一の実施の形態の飾り紐４の外径よりも太くしているために、左右一対の環状溝５３ａ及び縊れ部に形成した中央の環状溝５３ｂを第一の実施の形態における環状溝５３ａ、５３ｂよりも大きくしている。
また、第五の実施の形態の外殻は、図示していないが、図１６の半割外殻部５ｃ示すように、横幅が３００ｍｍ、外径が２００ｍｍに形成しており、飾り紐により表面飾りを芯体に取りつけた飾り用俵も第一の実施の形態における飾り用俵１よりも大形に形成している。
【００３２】
次に、本発明の実施の形態の変形例について説明する。
以上の実施の形態では、外殻の表面円周に３本の環状溝を設けて、表面飾りが外殻（芯体）に被覆された状態で飾り紐により環状溝に沿って締付けるようにしたが、環状溝の本数は複数であればよく、環状溝を省略して表面飾りを飾り紐により外殻（芯体）に締付けるようにしてもよい。
【００３３】
また、以上の実施の形態では、充填物は籾殻を主体として、需要者が飾り用俵として質量の大きなものを希望するときは、適宜密度の大きいナットなどを混入させるようにしたが、籾殻に替えておが屑でもよい。
以上の実施の形態では、表面飾りをい草又は金糸としたが、他の材料による表面飾りとしてもよい。
【００３４】
また、以上の実施の形態では、具体的な数値をあげて説明したが、これらは、飾り用俵として、要求される仕様などにより、適宜設計すればよいのである。
ただし、第四の実施の形態に示す小形の飾り用俵であれば、芯体を一対の半割外殻部と充填物と接着層で一体化する方が、中実の発泡スチロール製よりも生産性が上がり、飾り用俵として安価でかつ質量を調節できる利点があるが、第四の実施の形態よりもさらに小形になると、一対の半割外殻部の組立てに伴い、価格的に不利となり、本発明の適用が難しくなる。
【符号の説明】
【００３５】
１、１ａ  飾り用俵
２、２ａ  芯体
３  表面飾り
３１  い草
３２  金糸
４  飾り紐
５、５０  外殻
５ａ、５ｂ、５ｃ、５０ａ  半割外殻部
５１  合せ面
５２  接着層
５３、５３ａ、５３ｂ  環状溝
５５  凸状部分
５６  凹状部分
６  充填物
６１  袋
６２  籾殻